(57)【特許請求の範囲】
【請求項１】
手摺や柵等の胴縁や横桟の接続用継手であって、連結軸によって組み合わされる２個の割継手と、該割継手と連結ボルトで連結される横桟接続筒とからなり、２個の割継手は連結軸を中心に互いにそれぞれが回動可能に対面する対面部を形成する継手基体と、継手基体の一端に突出せしめた突出部を有し、前記対面部は連結軸が挿通される軸孔を中央に形成する円柱の先端面であり、前記突出部は互いに他の割継手の外表面上に跨がり、且つ該突出部には前記連結ボルトが螺入されるねじ孔がそれぞれ刻設されると共に、２個の割継手を連結軸を中心に回動させてそれぞれの突出部を正反対方向に位置させた際にそれぞれのねじ孔は同軸となされ、横桟接続筒は連結筒部と接続部からなり、連結筒部は連結ボルトを軸芯として回動可能に突出部に嵌入され、接続部には手摺や柵等の胴縁や横桟が内挿または外嵌されるようになされ、且つ２個の割継手の回動および割継手と横桟接続筒の接続部分での回動が互いに直交してなされ、さらに２個の割継手の対面部において、一方の割継手の対面部には連結軸を中心とした円弧状の長溝が設けられると共に他方の割継手の対面部には前記長溝内に挿入されるピン状突起が設けられ、２個の割継手を連結軸を中心に回動させた際に、前記長溝内をピン状突起が移動することによって、２個の割継手の回動角度が規制されるようになされたことを特徴とする接続用継手。
【請求項２】
２個の割継手が、同一の形状となされたことを特徴とする請求項１記載の接続用継手。
【請求項３】
２個の割継手の一方が、接続具を介して支柱に固定するようになされたことを特徴とする請求項１記載の接続用継手。
【請求項４】
横桟接続筒の接続部に接続孔が設けられたことを特徴とする請求項１、２または３記載の接続用継手。
【請求項５】
横桟接続筒の接続部の内側に、該接続部の内径より幾分小径のインサートブロックが設けられたことを特徴とする請求項１、２、３または４記載の接続用継手。
【請求項６】
手摺や柵等の胴縁や横桟の接続用継手であって、連結軸によって組み合わされる２個の割継手と、該割継手と連結ボルトで連結される横桟接続筒とからなり、２個の割継手は連結軸を中心に互いにそれぞれが回動可能に対面する対面部を形成する継手基体と、継手基体の一端に突出せしめた突出部を有し、該突出部には前記連結ボルトが螺入されるねじ孔が刻設されており、横桟接続筒は連結筒部と接続部からなり、連結筒部は連結ボルトを軸芯として回動可能に突出部に嵌入され、接続部には手摺や柵等の胴縁や横桟が内挿または外嵌されるようになされた接続用継手であって、横桟接続筒の接続部の内側に、該接続部の内径より幾分小径のインサートブロックが設けられると共に、割継手の突出部に横桟接続筒を連結する連結ボルトを介してインサートブロックが回動可能に固定され、横桟接続筒の内壁とインサートブロックの外壁間に挿通される管状の手摺や横桟の端部には透孔が設けられるとともに、インサートブロック外壁周方向には該透孔に相対する溝部が掘削され、かつ横桟接続筒の接続孔がその溝部に位置合わせされたことを特徴とする接続用継手。
【請求項７】
請求項１〜６のいずれか１項に記載の接続用継手により、個々の手摺や柵等の桟材が水平及び垂直方向に回動自在に接続されてなることを特徴とする接続構造。
【発明の詳細な説明】
【０００１】
【発明の属する技術分野】
本発明は、手摺，柵等の胴縁や横桟の接続用として好適に用いられる接続用継手、および該継手を用いた接続構造に関するものである。
【０００２】
【従来の技術】
従来、手摺や柵等の胴縁や横桟を水平方向に屈曲させて配置したり、加えて高さ方向の変化をつけて設置しようとする場合、２本の支柱に支えられた単体の手摺や柵等の胴縁や横桟を少しずつ平面、高さ方向のそれぞれの角度を変えて配置するか、手摺や柵等の各胴縁や各横桟の接続箇所において接続箇所毎の角度に対応した多種類の専用継手を準備しなければならず煩雑である。また、これらの欠点を解決する方法として自在継手が提案されてはいるものの、例えば特開平８−１２０８６９号公報に見るように複雑な構造と部品点数が多いことから、組み立てが煩雑で手間がかかるという欠点があり、もっと使い易く機能的な手摺や柵等の胴縁や横桟の接続用継手、およびその接続構造が望まれるところであった。
【０００３】
【発明が解決しようとする課題】
本発明は、かかる従来技術の問題点に鑑みてなされたもので、手摺や柵等の胴縁や横桟を一直線に設置する場合はもちろんのこと、水平方向に屈曲させて配置でき、加えて高さ方向にも変化をつけて設置しようとする場合においても、設置現場での平面および高さ方向の角度の変更にその場で対応でき、かつ、設置角度等による特別な部品を準備することのない、少数の部品点数により構成される手摺や柵等の胴縁や横桟用の継手および該継手を用いた手摺や柵の接続構造を提供するものである。
【０００４】
【課題を解決するための手段】
本発明に係る接続用継手は、手摺や柵等の胴縁や横桟の接続用継手であって、連結軸によって組み合わされる２個の割継手と、該割継手と連結ボルトで連結される横桟接続筒とからなり、２個の割継手は連結軸を中心に互いにそれぞれが回動可能に対面する対面部を形成する継手基体と、継手基体の一端に突出せしめた突出部を有し、前記対面部は連結軸が挿通される軸孔を中央に形成する円柱の先端面であり、前記突出部は互いに他の割継手の外表面上に跨がり、且つ該突出部には前記連結ボルトが螺入されるねじ孔がそれぞれ刻設されると共に、２個の割継手を連結軸を中心に回動させてそれぞれの突出部を正反対方向に位置させた際にそれぞれのねじ孔は同軸となされ、横桟接続筒は連結筒部と接続部からなり、連結筒部は連結ボルトを軸芯として回動可能に突出部に嵌入され、接続部には手摺や柵等の胴縁や横桟が内挿または外嵌されるようになされ、且つ２個の割継手の回動および割継手と横桟接続筒の接続部分での回動が互いに直交してなされ、さらに２個の割継手の対面部において、一方の割継手の対面部には連結軸を中心とした円弧状の長溝が設けられると共に他方の割継手の対面部には前記長溝内に挿入されるピン状突起が設けられ、２個の割継手を連結軸を中心に回動させた際に、前記長溝内をピン状突起が移動することによって、２個の割継手の回動角度が規制されるようになされたことを特徴とするものである。
本発明における接続構造とは、胴縁や横桟を上記継手を介して接続して構成されるものを指す。
【０００５】
また、本発明接続用継手は、２個の割継手が同一の形状となされたものである。
【０００６】
さらに、本発明接続用継手は、２個の割継手の一方が、接続具を介して支柱に固定するようになされたものである。
【０００７】
さらにまた、本発明接続用継手は、横桟接続筒の接続部に接続孔が設けられたものである。
【０００８】
さらにまた、本発明接続用継手は、横桟接続筒の接続部の内側に、該接続筒の内径より幾分小径のインサートブロックが設けられたものである。
【０００９】
さらにまた、本発明接続用継手は、割継手の突出部に横桟接続筒を連結する連結ボルトを介してインサートブロックが回動可能に固定され、横桟接続筒の内壁とインサートブロックの外壁間に挿通される管状の手摺や，柵等の横桟の端部には透孔が設けられるとともに、インサートブロック外壁周方向には該透孔に相対する溝部が掘削され、かつ横桟接続筒の接続孔がその溝部に位置合わせされたものである。
【００１０】
さらにまた、本発明接続構造は、連結軸によって接続される２個の割継手と、該割継手と連結ボルトで連結される横桟接続筒とからなり、２個の割継手は連結軸を中心に互いにそれぞれが回動可能に対面する対面部を形成する継手基体と、継手基体の一端に突出せしめた突出部を有し、該突出部には前記連結ボルトが螺入されるねじ孔が刻設されており、横桟接続筒は連結部と接続部からなり、連結筒部は連結ボルトを軸芯として回動可能に突出部に嵌入され、接続部には、手摺や柵等の胴縁や横桟が内嵌または外嵌されるようになされた接続用継手により、個々の手摺や柵等の桟材が水平及び垂直方向に回動自在に接続されてなるものである。
【００１１】
【発明の実施の形態】
以下、本発明の実施の形態について、図面に基づいて説明する。
図１は、本発明接続用継手の実施の一形態の分解斜視図であり、図２は図１の分解断面図である。
【００１２】
図１において１は割継手であって、該割継手１は半球状の継手基体１０と該継手基体１０の一端に突出せしめた突出部１１とからなる。継手基体１０には回転軸に沿った軸孔１６が穿設されるとともに、切り口上に軸孔１６の同心円展開上に配置された対面部１３が形成されている。また、突出部１１には突出方向と同じ向きのねじ孔１２が刻設されている。さらに割継手１は、２個がそれぞれの対面部１３を当接させ、軸孔１６に連結軸５が挿通され回動自在に組み合わされる。なお、継手基体１０の一端に突出された突出部１１は、２個の割継手１を組み合わせた場合互いに正反対方向に位置させた際に同軸となされているのが好ましい。
【００１３】
また、割継手１の対面部１３は図１，２においては同心円展開上に２個形成されているが、１個でも或いは３個以上であってもよいし、同心円展開上に連続していても分断されていてもよい。さらに、対面部１３の表面は平滑であっても細かい凹凸が形成されていてもよい。
【００１４】
なお、該割継手１は、アルミ，亜鉛等の金属やエンジニアリングプラスチック等の強化プラスチックによって製作されている。
【００１５】
一方、割継手１と横桟接続筒２とを組み合わせた際に、突出部１１の先端部が横桟接続筒２の連結筒部２１より接続部２２内に突出しない長さ寸法となされると、連結ボルト６をねじ孔１２へ螺入することによって連結筒部２１は連結ボルト６のボルト頭部６２と継手基体１０との間で固定され、また突出部１１の先端部を横桟接続筒２の連結筒部２１より接続部２２内に突出させる長さ寸法となされると、連結ボルト６をねじ孔１２へ螺入しても横桟接続筒２の連結筒部２１が継手基体１０に固定されずに回動可能となされる。
【００１６】
また、この横桟接続筒２の材料も、割継手１と同様、アルミ，亜鉛等の金属やエンジニアリングプラスチック等の強化プラスチックが使用される。
【００１７】
さらに割継手１については図３（イ）〜（ハ）に示すように、２個の割継手１の例えば相互の対面部１３にピン状突起１４および割継手１の連結軸５を中心とした円弧状の長溝１５を設け、割継手１を互いに組み合わせて同図（ハ）に示すように、ピン状突起１４と円弧状の長溝１５がそれぞれ組み合わさせた際に該長溝１５の長さの設定によって２個の割継手１の回動角度を規制するようにしてもよく、この場合は組み立てられた本発明継手の輸送中に２個の割継手１が回動して横桟接続筒２同士が接触して傷をつけてしまうのを避けられ好ましい。
【００１８】
なお、本発明継手は突出部１１の連結軸５を中心とした水平方向の角度、すなわち２本の手摺，柵等の胴縁や横桟の成す角度は横桟接続筒２の形状にもよるが、およそ８０°〜２８０°の範囲である。
【００１９】
次に、本発明継手の使用状態を図４（イ）〜（ハ）によって説明する。
図４（イ）は、横桟接続筒２に対して桟４を外嵌して接続する例であり、横桟接続筒２の接続部２２に雌螺子が刻設された接続孔２３に対して、桟４の端部に設けた止め孔４２を通して固定ネジ７３により固定する様子を表し、図４（ロ），（ハ）は、横桟接続筒２の接続部２２内に桟４を内挿した上接続する例であり、（ロ）は桟４の端部に対して、雌螺子が刻設された接続孔２３より圧着ネジ７１を螺入して、桟４の端部を圧接させて固定しようとする例であり、（ハ）は、桟４の端部に対して、接続部２２に設けたサラ状の接続孔２３より木螺子７４を螺入して固定しようとする例である。
【００２０】
以上詳述したように本発明接続用継手は、割継手１自体の回動および割継手１と横桟接続筒２の接続部分での回動が互いに直交してなされることから、これを適用した手摺や柵等の構造体は水平方向並びに高さ方向の変化に自在に対応し、図５に示すように登り勾配のカーブ地点でも設置可能となるものである。
【００２１】
ところで、図１〜図４において連結軸によって組み合わされた２個の割継手が同一である例を説明してきたが、２個の割継手がそれぞれ異なる形状であってもよく、その実施例を図６，図７によって説明する。
【００２２】
図６は、本発明接続用継手の他の実施例を示す分解断面図であり、図７は図６の接続用継手を使用した手摺や柵の構造体の部分斜視図である。
図６において、２個の割継手のうち下方の割継手１ａには接続面９２が形成され接続具９１の接続面９３に固定されるようになされているとともに、割継手１，１ａを接合する連結軸５の下端が接続具９１に設けられたナット孔９４まで延長され、２個の割継手１，１ａと接続具９１とが１本の連結軸５で軸着されている。さらに、接続具９１はヒンジ部ボルト９５を介してブラケット９６に固定され、ブラケット９６は支柱８を貫通した取付ボルト９７により固定されている。
【００２３】
かようにして組立てられた図７に表す手摺７柵等の構造体は、水平方向の屈曲は２個の割継手の回動で対応し、勾配に対してはブラケット９６と接続具９１の回動により対応できる構造になっている。
【００２４】
次に、図８〜図１０により本発明接続用継手のさらに他の実施例を説明する。図８は部品構成を表す分解斜視図であり、図９は同じく部品構成を表す分解断面図であり、図１０は組立断面図である。
【００２５】
この実施例においては、割継手１の突出部１１に刻設したねじ孔１２に螺入される連結ボルト６１のボルト頭部６２と突出部１１の突出部端部１７の間にインサートブロック３を介在させて、該インサートブロック３の中心部に設けたブロック貫通孔３２を貫通させた連結ボルト６１を緊締して固定し、割継手１の突出部１１とインサートブロック３が一体的に構成されるようにしたものである。
【００２６】
したがって、手摺や柵等の胴縁や横桟、ここでは管状となされた桟４を横桟接続筒２の接続部２２に嵌入した状態では、桟４および横桟接続筒２は連結ボルト６１を軸芯として回動可能で、よって組み立て段階においては接続用継手の接続構造の水平及び高さ方向の設置条件に対応して、接続用継手の割継手１，１および桟４を回動させて微調整するのである。
【００２７】
そして、管状の桟４の端部近辺に透孔４１を設けるとともに、インサートブロック３には該透孔４１と相対して周方向の溝部３１を掘削し、かつ横桟接続筒２の側面にはその溝部３１の位置に合致する螺子孔である接続孔２３を刻設し、該接続孔２３に止めネジ７２を螺入してインサートブロック３の溝部３１に圧接・固着させて微調整後の固定がなされ、また場合によっては併せて、桟４の透孔４１と反対側の桟４の管壁に対して接続孔２３から圧着ネジ７１を螺入して圧接・固着させることによって、桟４を横桟接続筒２の嵌入内側においてバランス良く固定できるような構造となる。
【００２８】
【発明の効果】
本発明接続用継手は、上述の構造によって次のような効果を発揮する。
すなわち、本発明接続用継手は、手摺や柵等の胴縁や横桟の接続用継手であって、連結軸によって組み合わされる２個の割継手と、該割継手と連結ボルトで連結される横桟接続筒とからなり、２個の割継手は連結軸を中心に互いにそれぞれが回動可能に対面する対面部を形成する継手基体と、継手基体の一端に突出せしめた突出部を有し、前記対面部は連結軸が挿通される軸孔を中央に形成する円柱の先端面であり、前記突出部は互いに他の割継手の外表面上に跨がり、且つ該突出部には前記連結ボルトが螺入されるねじ孔がそれぞれ刻設されると共に、２個の割継手を連結軸を中心に回動させてそれぞれの突出部を正反対方向に位置させた際にそれぞれのねじ孔は同軸となされ、横桟接続筒は連結筒部と接続部からなり、連結筒部は連結ボルトを軸芯として回動可能に突出部に嵌入され、接続部には手摺や柵等の胴縁や横桟が内挿または外嵌されるようになされ、且つ２個の割継手の回動および割継手と横桟接続筒の接続部分での回動が互いに直交してなされることを特徴とするものであるので、組み立てられた割継手から突出する各突出部が角度調節可能に回動し、かつそれぞれ突出部とそれらが嵌入される横桟接続筒とは割継手の回動と直交する方向の回動が可能であるから、手摺や柵等の胴縁や横桟を一直線に設置することも、水平方向に屈曲させることも、加えて高さ方向に勾配の変化をつけることも自在にできるとともに、部品点数も少なく組み立て工数も軽減される。
【００２９】
また本発明接続用継手は、２個の割継手が同一の形状となされた場合には部品点数が少なくなり組み立てが簡単で、さらにシンプルな外観となされる。
【００３０】
さらに本発明接続用継手は、２個の割継手の一方が接続具を介して支柱に固定するようになされた場合は、手摺や柵等の胴縁や横桟を支柱に固定する部分において横桟同士を接続して、該横桟から接続部に伝わる力を直接支柱に伝えることができる。
【００３１】
さらにまた本発明接続用継手は、横桟接続筒の接続部に接続孔が設けられた場合は、手摺や柵等の胴縁や横桟を接続した際に該横桟が横桟接続筒の接続部内においてガタついたり或いは設置後に回転したりすることの無いように、その接続孔を通してネジ類によって該横桟を固定して、しっかりした接続がなされる。
【００３２】
さらにまた本発明接続用継手は、横桟接続筒の接続部の内側に該接続部の内径より幾分小径のインサートブロックが設けられた場合は、管状の手摺や柵等の胴縁や横桟を嵌入して該横桟にかかる力をインサートブロックを介して確実に継手本体に伝えてしっかりした接続がなされる。
【００３３】
さらにまた本発明接続用継手は、割継手の突出部に横桟接続筒を連結する連結ボルトを介してインサートブロックが回動可能に固定され、横桟接続筒の内壁とインサートブロックの外壁間に挿通される管状の手摺や横桟の端部には透孔が設けられるとともに、インサートブロック外壁周方向には該透孔に相対する溝部が掘削され、かつ横桟接続筒の接続孔がその溝部に位置合わせされて設けられた場合は、管状の手摺，柵等の胴縁や横桟を嵌入して該横桟にかかる力をインサートブロックを介して確実に継手本体に伝えるとともに、横桟接続筒の接続孔から管状の手摺や柵等の胴縁や横桟の側面に圧着ネジを圧接して該横桟を固定してしっかりした構造とし、また横桟接続筒の接続孔から止めネジを螺入して管状の手摺や横桟の端部に設けられた透孔を通してインサートブロックに掘削された溝部に圧接固定することによって、インサートブロックと手摺，柵等の胴縁や横桟が一体に固定されてガタつくことの無い構造となり、さらに設置後に回転したりすることの無いしっかりした接続用継手が構成される。
【００３４】
さらにまた本発明接続構造は、連結軸によって接合される２個の割継手と、該割継手と連結ボルトで連結される横桟接続筒とからなり、２個の割継手は連結軸を中心に互いにそれぞれが回動可能に対面する対面部を形成する継手基体と、継手基体の一端に突出せしめた突出部を有し、該突出部には前記連結ボルトが螺入されるねじ孔が刻設されており、横桟接続筒は連結筒部と接続部からなり、連結筒部は連結ボルトを軸芯として回動可能に突出部に嵌入され、接続部は手摺や柵等の胴縁や横桟が内挿または外嵌されるようになされた接続用継手により、個々の手摺や柵等の桟材が水平及び垂直方向に回動自在に接続されてなる場合は、手摺や柵等の胴縁や横桟を一直線に設置する場合はもちろんのこと、水平方向の屈曲や加えて高さ方向の変化に対応して設置しようとする場合においても、同一の部品を用いて角度調節しながら設置出来ることにより、少ない部品点数で平面及び高さ方向の変化に自在に対応出来る手摺や柵の継手を供給できて、かつ設置現場での平面および高さ方向の角度等設置条件にその場で対応することができる。
【図面の簡単な説明】
【図１】本発明一実施例を示す分解斜視図である。
【図２】本発明一実施例を示す分解断面図である。
【図３】本発明一実施例の説明図であって、（イ）は部品斜視図、（ロ）は作動説明図、（ハ）は断面図である。
【図４】本発明の実施形態例に係る断面図であって、（イ）は管状桟の固定、（ロ），（ハ）はそれぞれ別の実施の形態例を表す。
【図５】本発明を適用して設置した手摺の構造体の斜視図である。
【図６】本発明実施の他の一実施例を示す分解断面図である。
【図７】図６の実施の形態の設置状態を表す部分斜視図である。
【図８】本発明実施の他の実施例の、部品構成を表す分解斜視図である。
【図９】図８に示す他の実施例の、部品構成を表す分解断面図である。
【図１０】図８に示す他の実施例の組立断面図である。
【符号の説明】
１，１ａ    割継手
１０        継手基体
１１        突出部
１２        ねじ孔
１３        対面部
１４        ピン状突起
１５        長溝
１６        軸孔
２          横桟接続筒
２１        連結筒部
２２        接続部
２３        接続孔
３          インサートブロック
３１        溝部
３２        ブロック貫通孔
４          桟
４１        透孔
５          連結軸
６，６１    連結ボルト
６２        ボルト頭部
７１        圧着ネジ
７２        止めネジ
８          支柱
９１        接続具
９２，９３  接続面
９４        ナット孔
９５        ヒンジ部ボルト
９６        ブラケット
９７        取付ボルト
【図１】
0003807701.tif 000002
【図２】
0003807701.tif 000003
【図３】
0003807701.tif 000004
【図４】
0003807701.tif 000005
【図５】
0003807701.tif 000006
【図６】
0003807701.tif 000007
【図７】
0003807701.tif 000008
【図８】
0003807701.tif 000009
【図９】
0003807701.tif 000010
【図１０】
0003807701.tif 000011